(57)【要約】【課題】加熱調理器等の加熱装置の使用時に、ユーザが所望の情報をタッチ操作等の手操作を必要とせずに、容易且つ適切に取得することができる加熱システムを提供する。【解決手段】加熱システム１は、加熱調理器２、第１サーバ３１、第２サーバ３２及び情報端末３３を備える。情報端末３３は、音声入力部３３ｂに入力された音声情報を第２サーバ３２に送信する機能と、第２サーバ３２から受信した表示情報を表示部３３ａに表示する機能とを有する。第２サーバは、情報端末３３から受信した音声情報の内容を認識して、音声情報による要求を第１サーバ３１に送信する機能と、該要求の送信に応じて第１サーバ３１から受信した表示情報を情報端末３３に送信する機能とを有する。【選択図】図１
2020190360.tif 000002
【特許請求の範囲】
【請求項１】
被加熱物を加熱する加熱装置と、
該加熱装置と通信可能な第１サーバと、
該第１サーバと通信可能な第２サーバと、
該第２サーバと通信可能であると共に、前記加熱装置のユーザが音声入力を行い得る音声入力部と該ユーザが視認し得る表示部とを有する情報端末とを備えており、
前記第１サーバは、前記加熱装置の運転状態情報を該加熱装置から受信する機能と、前記第２サーバから受信した要求に応じて前記加熱装置の運転に関して前記情報端末の表示部に表示させるべき表示情報を該第２サーバに送信する機能とを有するように構成されており、
前記情報端末は、前記音声入力部に入力された音声情報を前記第２サーバに送信する機能と、前記第２サーバから受信した表示情報を前記表示部に表示する機能とを有するように構成され、
前記第２サーバは、前記情報端末から受信した前記音声情報の内容を認識して、該音声情報の内容から特定した要求を前記第１サーバに送信する機能と、該要求の送信に応じて前記第１サーバから受信した表示情報を前記情報端末に送信する機能とを有するように構成されていることを特徴とする加熱システム。
【請求項２】
請求項１記載の加熱システムにおいて、
前記第２サーバは、前記情報端末から受信した前記音声情報の内容が、前記加熱装置の作動の操作を指令する内容であるか否かを判断する機能を有し、該音声情報の内容が前記加熱装置の作動の操作を指令する内容であるときには、前記第１サーバに前記要求を送信しないように構成されていることを特徴とする加熱システム。
【請求項３】
請求項２記載の加熱システムにおいて、
前記第２サーバは、前記情報端末から受信した前記音声情報の内容が、前記加熱装置の作動の操作を指令する内容であるときには、前記音声情報が受付不可の内容である旨を示す情報を、前記情報端末の表示部に表示させ、又は該情報端末に備えられた音声出力部から出力させる情報として該情報端末に送信する機能をさらに有するように構成されていることを特徴とする加熱システム。
【請求項４】
請求項１〜３のいずれか１項に記載の加熱システムにおいて、
前記加熱装置は、調理用レシピ情報に基づく自動調理運転を実行可能な加熱調理器であり、
前記第１サーバが、前記加熱調理器の自動調理運転時に、前記第２サーバからの要求に応じて該第２サーバに送信する表示情報は、前記調理用レシピ情報に関する説明用の表示情報と、前記加熱調理器の運転状態情報を表す表示情報とを含むことを特徴とする加熱システム。
【発明の詳細な説明】
【技術分野】
【０００１】
本発明は、加熱調理器等の加熱システムに関する。
【背景技術】
【０００２】
例えば、加熱調理器としてのコンロでは、特許文献１に見られるように、スマートフォン等の携帯情報端末とコンロとの通信を行い、加熱調理器での調理運転時に、携帯情報端末でレシピ情報やコンロの運転状態を示す情報等を表示し、ユーザがこれらの情報を自身の携帯情報端末で確認しながら、調理作業を行い得るようにしたものが知られている。
【先行技術文献】
【特許文献】
【０００３】
【特許文献１】特開２０１５−１５８３４５号公報
【発明の概要】
【発明が解決しようとする課題】
【０００４】
しかしながら、スマートフォン等の携帯情報端末は、表示部の表示情報の切替え等のために、タッチ操作が必要であるため、特に調理作業中では、該携帯情報端末の表示画面が汚れてしまいやすい。また、画面サイズが比較的小さいため、表示内容を確認しづらいという不都合がある。
【０００５】
本発明はかかる背景に鑑みてなされたものであり、加熱調理器等の加熱装置の使用時に、ユーザが所望の情報をタッチ操作等の手操作を必要とせずに、容易且つ適切に取得することができる加熱システムを提供することを目的とする。
【課題を解決するための手段】
【０００６】
本発明の加熱システムは、上記の目的を達成するために、
被加熱物を加熱する加熱装置と、
該加熱装置と通信可能な第１サーバと、
該第１サーバと通信可能な第２サーバと、
該第２サーバと通信可能であると共に、前記加熱装置のユーザが音声入力を行い得る音声入力部と該ユーザが視認し得る表示部とを有する情報端末とを備えており、
前記第１サーバは、前記加熱装置の運転状態情報を該加熱装置から受信する機能と、前記第２サーバから受信した要求に応じて前記加熱装置の運転に関して前記情報端末の表示部に表示させるべき表示情報を該第２サーバに送信する機能とを有するように構成されており、
前記情報端末は、前記音声入力部に入力された音声情報を前記第２サーバに送信する機能と、前記第２サーバから受信した表示情報を前記表示部に表示する機能とを有するように構成され、
前記第２サーバは、前記情報端末から受信した前記音声情報の内容を認識して、該音声情報の内容から特定した要求を前記第１サーバに送信する機能と、該要求の送信に応じて前記第１サーバから受信した表示情報を前記情報端末に送信する機能とを有するように構成されていることを特徴とする（第１発明）。
【０００７】
かかる本発明によれば、前記加熱装置のユーザは、該加熱装置の使用時に、該加熱装置の運転に関して取得したい情報があるときに、その旨の音声を情報端末の音声入力部に入力する。このとき、情報端末の音声入力部に入力された音声情報は、該情報端末から第２サーバに送信される。さらに、該第２サーバにより、該音声情報の内容が認識されると共に、該音声情報の内容からユーザの要求が特定され、その要求が第２サーバから第１サーバに送信される。
【０００８】
該要求を受信した第１サーバは、該要求に応じて前記加熱装置の運転に関して前記情報端末の表示部に表示させるべき表示情報を該第２サーバに送信する。この場合、第１サーバは、加熱調理器の運転状態情報を該加熱調理器から受信できるので、加熱調理器の運転状態に整合する適切な表示情報を第２サーバに送信できる。
【０００９】
そして、該表示情報が、第２サーバから情報端末に送信され、該情報端末の表示部で表示される。これにより、ユーザは、取得したい情報を情報端末の表示部に表示される表示情報として視認することができる。
【００１０】
従って、ユーザは、加熱装置の運転に関して取得したい情報がある旨の音声を情報端末の音声入力部に入力するだけで、情報端末に対するタッチ操作等の手操作を必要とすることなく、加熱装置の実際の運転状態に整合した所望の情報を情報端末の表示部で表示される表示情報として取得することができる。また、音声入力部及び表示部を有する情報端末として、スマートディスプレイ等の情報端末を使用できるので、該情報端末の表示部での表示情報を見やすいサイズの情報にすることができる。
【００１１】
よって、第１発明によれば、加熱調理器等の加熱装置の使用時に、ユーザは、所望の情報をタッチ操作等の手操作を必要とせずに、容易且つ適切に取得することができる。
【００１２】
また、第１発明の加熱システムは、加熱装置の運転状態情報の取得や、加熱装置に関する表示情報の提供を行う第１サーバと、情報端末に対して入力される音声情報の認識等を行う第２サーバとを各別のサーバとして備えるので、それぞれのサーバの負担が軽減されると共に、各サーバの処理性能を高めることができる。また、第２サーバは、加熱装置に専用的な処理を必要としないので、例えば、既存のＡＩアシスタントシステムのサーバを第２サーバとして利用することができる。ひいては、本発明の加熱システムを容易に構築することが可能となる共に、ユーザは、安価に本発明の加熱システムを利用できる。
【００１３】
上記第１発明では、前記第２サーバは、前記情報端末から受信した前記音声情報の内容が、前記加熱装置の作動の操作を指令する内容であるか否かを判断する機能を有し、該音声情報の内容が前記加熱装置の作動の操作を指令する内容であるときには、前記第１サーバに前記要求を送信しないように構成されていることが好ましい（第２発明）。
【００１４】
ここで、情報端末の音声入力部には、加熱装置のユーザの音声だけでなく、例えば、テレビやラジオから出力される音声や、情報端末の周辺での通常会話の音声が入力され得る。そして、この場合、加熱装置のユーザが意図せずに、情報端末の音声入力部に、加熱装置の作動の操作を指令する内容の音声が入力されてしまう場合がある。
【００１５】
しかるに、第２発明によれば、第２サーバは、情報端末から受信する音声情報の内容が加熱装置の作動の操作を指令する内容であるときには、前記第１サーバに前記要求を送信しない。このため、第１サーバが加熱装置との通信によって、該加熱装置の作動を操作し得るように構成されていたとしても、該加熱装置の作動が誤操作されてしまうのを防止することができる。
【００１６】
上記第２発明では、前記第２サーバは、前記情報端末から受信した前記音声情報の内容が、前記加熱装置の作動の操作を指令する内容であるときには、前記音声情報が受付不可の内容である旨を示す情報を、前記情報端末の表示部に表示させ、又は該情報端末に備えられた音声出力部から出力させる情報として該情報端末に送信する機能をさらに有するように構成されていることが好ましい（第３発明）。
【００１７】
これによれば、ユーザ等が、加熱装置の作動の操作を指令する内容の音声を情報端末の音声入力部に入力すると、入力された音声情報が受付不可の内容である旨を示す情報が情報端末の表示部又は音声出力部から出力されるので、ユーザは、情報端末への音声入力では加熱装置の作動を操作できないことを確実に認識することができる。
【００１８】
上記第１〜第３発明では、前記加熱装置は、例えば、調理用レシピ情報に基づく自動調理運転を実行可能な加熱調理器であり得る。この場合、前記第１サーバが、前記加熱調理器の自動調理運転時に、前記第２サーバからの要求に応じて該第２サーバに送信する表示情報は、前記調理用レシピ情報に関する説明用の表示情報と、前記加熱調理器の運転状態情報を表す表示情報とを含むことが好ましい（第４発明）、
【００１９】
これによれば、加熱調理器での自動調理運転時に、タッチ操作等の手操作を必要とせずに、調理用レシピ情報に関する説明用の表示情報や、加熱調理器の運転状態情報を表す表示情報を情報端末の表示部で適宜視認できるので、自動調理運転に関する調理作業を容易且つ適切に実施できる。
【００２０】
また、第４発明を前記第２発明に適用したときには、加熱調理器での自動調理運転中に、情報端末に加熱調理器の作動の操作を指令する音声が入力され、それに応じて、音声情報が受付不可の内容である旨を示す情報が情報端末から出力されても、該情報の出力が、加熱調理器の加熱部の出力調整等を必要としない自動調理運転中での出力であることから、ユーザが該情報の出力に対して違和感を覚えるのを防止できる。
【図面の簡単な説明】
【００２１】
【図１】本発明の実施形態の加熱システムの全体構成を示す図。
【図２】実施形態の加熱システムの要部構成を示すブロック図。
【図３】実施形態の加熱システムの作動説明図。
【発明を実施するための形態】
【００２２】
本発明の一実施形態を、図１〜図３を参照して以下に説明する。図１及び図２を参照して、本実施形態の加熱システム１は、加熱調理器２、第１サーバ３１、第２サーバ３２、情報端末３３、レシピサーバ３４、及び携帯通信端末３５を含む。
【００２３】
図１に示す如く、加熱調理器２は、本実施形態では、ガスコンロであり、被加熱物である調理対象物（調理具材、調理容器等）を加熱する燃焼式の加熱部として、加熱調理器２の上面の複数個所、例えば、左前部、右前部、及び後中央部にそれぞれ配置された左コンロ１０ａ、右コンロ１０ｂ及び後コンロ１０ｃと、加熱調理器２の前面で開閉可能に該加熱調理器２の筐体内に配置されたグリル１０ｄとを備えている。
【００２４】
各コンロ１０ａ，１０ｂ，１０ｃには、それぞれで加熱される調理対象物の温度を検出する温度センサ１７ａ，１７ｂ，１７ｃが設けられている。また、図示は省略するが、グリル１０ｄには、庫内温度を検出する温度センサが設けられている。
【００２５】
加熱調理器２の前面には、各コンロ１０ａ，１０ｂ，１０ｃのそれぞれの点火、消火及び火力調整を行うための操作ボタン１１ａ，１１ｂ，１１ｃと、グリル１０ｄの点火、消火及び火力調整を行うための操作ボタン１１ｄとが設けられている。
【００２６】
この場合、例えば、操作ボタン１１ａ，１１ｂ，１１ｃ，１１ｄのそれぞれの押し操作により、それぞれに対応する左コンロ１０ａ又は右コンロ１０ｂ又は後コンロ１０ｃ又はグリル１０ｄの点火又は消火が行われ、操作ボタン１１ａ，１１ｂ，１１ｃ，１１ｄのそれぞれの回転操作により、それぞれに対応する左コンロ１０ａ又は右コンロ１０ｂ又は後コンロ１０ｃ又はグリル１０ｄの火力調整が行われる。なお、各コンロ１０ａ，１０ｂ，１０ｃ及びグリル１０ｄのそれぞれの点火及び消火用の操作部と、火力調整用の操作部とは各別の操作部であってもよい。
【００２７】
加熱調理器２の前面には、さらに、プッシュオープン式のコンロ操作部１２とグリル操作部１４とが設けられている。この場合、コンロ操作部１２を押し操作すると該コンロ操作部１２が開いてコンロ操作パネル１３が操作可能に露出するようになっている。該コンロ操作パネル１３は、左コンロ１０ａ用の左コンロ操作部１３ａと、右コンロ１０ｂ用の右コンロ操作部１３ｂと、後コンロ１０ｃ用の後コンロ操作部１３ｃとを備えている。
【００２８】
また、グリル操作部１４を押し操作すると該グリル操作部１４が開いてグリル操作パネル１５が操作可能に露出するようになっている。なお、コンロ操作パネル１３及びグリル操作パネル１５のそれぞれは、加熱調理器２の外面部に露出した状態で備えられていてもよい。
【００２９】
コンロ操作パネル１３は、各コンロ１０ａ，１０ｂ，１０ｃの作動制御等に関する操作（例えば湯沸かし運転もしくは炊飯運転のオンオフ操作、自動調理運転に関する設定操作、タイマ時間の設定操作、加熱温度の設定操作等）をユーザが行い得るように構成されていると共に、各コンロ１０ａ，１０ｂ，１０ｃの作動に関する種々の情報を表示し得るように構成されている。このことはグリル操作パネル１５ついても同様である。
【００３０】
加熱調理器２は、上記の構成のほか、さらに図２に示すように、加熱調理器２の全体の作動制御を行う機能を有する制御装置２０を備える。該制御装置２０は、例えばマイクロコンピュータ、メモリ、インターフェース回路、通信装置等を含む１つ以上の電子回路ユニットにより構成される。
【００３１】
この制御装置２０には、加熱調理器２に備えられた複数のセンサ（前記温度センサ１７ａ，１７ｂ，１７ｃを含む）のセンシング信号と、操作ボタン１１ａ，１１ｂ，１１ｃ，１１ｄ及び操作パネル１３，１５のそれぞれの操作信号とが入力される。そして、制御装置２０は、実装されたハードウェア構成及びプログラム（ソフトウェア構成）の両方又は一方により実現される機能として、各コンロ１０ａ，１０ｂ，１０ｃ及びグリル１０ｄのそれぞれの作動制御（詳しくは、点火、消火、火力調整に係る作動制御）を行う機能と、操作パネル１３，１５の表示制御を行う機能とを有する。
【００３２】
なお、各コンロ１０ａ，１０ｂ，１０ｃ及びグリル１０ｄのそれぞれの作動制御は、より詳しくは、左コンロ１０ａ、右コンロ１０ｂ、後コンロ１０ｃ及びグリル１０ｄのそれぞれに対応する図示しない燃料供給路に設けられた開閉弁及び火力調整弁、並びに、図示しない点火装置の作動制御を通じてなされる。
【００３３】
また、制御装置２０は、携帯通信端末３５と、Bluetooth（登録商標）もしくはWi-Fi（登録商標）等による無線通信を行うことが可能である。該携帯通信端末３５は、加熱調理器２のユーザが使用するスマートフォン、タブレット端末、もしくは携帯電話等により構成され、加熱調理器２を使用した調理に関する所定の調理用アプリケーションがあらかじめインストールされている。そして、携帯通信端末３５は、調理用アプリケーションを起動した状態で、制御装置２０と無線通信を行い得るように、該制御装置２０との接続設定が事前になされている。
【００３４】
また、携帯通信端末３５は、調理用アプリケーションを起動した状態で、インターネット等により構成される広域ネットワークである外部ネットワークＮＷ（図１に示す）を介してレシピサーバ３４と通信を行うことが可能である。
【００３５】
該レシピサーバ３４は、例えば加熱調理器２のメーカ、あるいは、該メーカの委託業者等が運営するサーバであり、加熱調理器２で実行し得る複数の自動調理メニューのそれぞれに関するレシピ情報（以降、調理用レシピ情報ということがある）を保有する。
【００３６】
該調理用レシピ情報は、加熱調理器２の自動調理運転の実行時にユーザが行うべき調理手順を示す情報、該自動調理運転における加熱調理器２の作動を制御するための制御処理情報、該自動調理運転の各工程での調理作業の内容等を視覚的に説明するための静止画又は動画の画像情報、該調理作業の内容等を聴覚的に説明するための音声案内情報等を含む。なお、画像情報は、情報端末３３の後述する表示部３３ａで表示し得る情報であり、音声案内情報は、情報端末３３の後述する音声出力部３３ｃから出力し得る情報である。
【００３７】
そして、上記調理用アプリケーションを起動した携帯通信端末３５は、ユーザによる該携帯通信端末３５の操作に応じて、レシピサーバ３４から自動調理メニューのリストを取得して表示する機能、ユーザが携帯通信端末３５で選定した自動調理メニューに係る調理用レシピ情報をレシピサーバ３４からダウンロードする機能、ダウンロードした調理用レシピ情報を加熱調理器２の制御装置２０に送信（アップロード）し、該調理用レシピ情報に基づく自動調理運転の実行を該制御装置２０に指令する機能等を有する。
【００３８】
なお、携帯通信端末３５が、ユーザにより選定された自動調理メニューに関してレシピサーバ３４からダウンロードする調理用レシピ情報や、制御装置２０に送信する調理用レシピ情報は、自動調理運転における加熱調理器２の制御処理情報を含んでいればよく、画像情報及び音声案内情報の両方又は一方を含んでいなくてもよい。
【００３９】
さらに、制御装置２０は、ルータ等を含む図示しないホームネットワーク（ローカルエリアネットワーク）を介して外部ネットワークＮＷとの通信接続を行うことが可能であると共に、該外部ネットワークＮＷを介して第１サーバ３１と通信を行うことが可能である。
【００４０】
第１サーバ３１は、例えば加熱調理器２のメーカ、あるいは、該メーカの委託業者等が運営するサーバであり、加熱調理器２の運転状態を示す運転状態情報を、適宜、該加熱調理器２の識別情報と共に制御装置２０から取得（受信）することが可能である。
【００４１】
該運転状態情報は、例えば、調理対象物の温度等、前記センシング信号により示される検出情報、各コンロ１０ａ，１０ｂ，１０ｃ及びグリル１０の作動（燃焼運転）の有無及び火力を示す情報、加熱調理器２で実行中の自動調理のメニュー（種類）及び工程を示す情報等を含む。そして、第１サーバ３１は、該運転状態情報を、該第１サーバ３１に対してあらかじめ登録された加熱調理器２のユーザの識別情報に対応付けて取得することが可能である。
【００４２】
また、第１サーバ３１は、前記レシピサーバ３４と通信を行うことも可能であり、この通信により、レシピサーバ３４から、加熱調理器２で実行中の自動調理運転に係る調理用レシピ情報のうちの画像情報及び音声案内情報等を適宜取得することが可能である。
【００４３】
さらに、第１サーバ３１は、第２サーバ３２と通信を行うことも可能であり、該第２サーバ３２からの要求に応じて、加熱調理器２の制御装置２０から取得した運転状態情報を示す表示情報や、該加熱調理器２で実行中の自動調理運転に関してレシピサーバ３４から取得した画像情報及び音声案内情報を第２サーバ３２に送信することが可能である。
【００４４】
情報端末３３は、加熱調理器２のユーザの居宅で、定常的に、もしくは随時、加熱調理器２の近辺に配置される情報端末であり、例えば、第２サーバ３２との連係によりＡＩアシスタント機能を有するスマートディスプレイにより構成される。該情報端末３３は、液晶ディスプレイ、有機ＥＬディスプレイ等により構成される表示部３３ａと、音声が入力される音声入力部３３ｂと、音声を出力する音声出力部３３ｃと、制御部３３ｄとを備える。
【００４５】
この場合、制御部３３ｄは、マイクロコンピュータ、メモリ、インターフェース回路、通信装置等を含む電子回路ユニットにより構成され、ルータ等を含む図示しないホームネットワーク（ローカルエリアネットワーク）を介して外部ネットワークＮＷとの通信接続を行うことが可能であると共に、該外部ネットワークＮＷを介して第２サーバ３２と通信を行うことが可能である。
【００４６】
そして、制御部３３ｄは、実装されたハードウェア構成及びプログラム（ソフトウェア構成）の両方又は一方により実現される機能として、音声入力部３３ｂが入力された音声を示す音声情報（音声データ信号）を第２サーバ３２に送信する機能、第２サーバ３２から情報端末３３に送信される画像情報等の表示情報を表示部３３ａに表示させる機能、第２サーバ３２から情報端末３３に送信される音声案内情報を音声出力部３３ｃから実際の音声として出力させる機能等を有する。
【００４７】
第２サーバ３２は、情報端末３３の提供業者等が運営するサーバであり、情報端末３３から受信した音声情報の内容（情報端末３３の音声入力部３３ｂに入力された音声の内容）を認識し、該音声情報の内容に対する応答情報を情報端末３３に送信する機能を有する。該応答情報は、情報端末３３の表示部３３ａに表示させるべき表示情報（画像情報等）と音声出力部３３ｃから出力させるべき音声案内情報との両方又は一方により構成される（以降、表示情報及び音声案内情報の両方又は一方を、表示情報及び／又は音声案内情報と表記する）。
【００４８】
この場合、第２サーバ３２は、情報端末３３で入力された音声情報（以降、単に入力音声情報という）が、加熱調理器２で実行しようとする、又は実行中の自動調理運転に関する表示情報及び／又は音声案内情報を要求する情報であり、且つ、該加熱調理器２の作動操作（コンロ１０ａ，１０ｂ，１０ｃ及びグリル１０ｄのいずれかの点火、消火、又は火力調整）を要求するものではないと認識したときには、入力音声情報により要求される表示情報及び／又は音声案内情報を、第２サーバ３２に事前に登録されている情報端末３３のユーザ（＝加熱調理器２のユーザ）の識別情報に対応付けて第１サーバ３１に要求する。そして、第２サーバ３２は、この要求に応じて第１サーバ３１から送信される表示情報及び／又は音声案内情報を受信し、その受信した表示情報及び／又は音声案内情報を応答情報として、情報端末３３に送信する。
【００４９】
また、第２サーバ３２は、情報端末３３に対する入力音声情報が、加熱調理器２の作動操作を要求するものであると認識したときには、当該要求を第１サーバ３１に送信することなく、当該要求を受け付けることができない旨の応答情報（表示情報及び／又は音声案内情報）を情報端末３３に送信する。
【００５０】
次に、本実施形態の加熱システム１の全体的な作動を図３を参照して説明する。加熱調理器２のユーザは、該加熱調理器２の自動調理運転を実行しようとするとき、自身の携帯通信端末３５を使用して、所望の自動調理メニューに関する調理用レシピ情報の制御処理情報を加熱調理器２の制御装置２０に送信した後、該自動調理メニューに関する自動調理運転の実行を携帯通信端末３５から加熱調理器２の制御装置２０に指令する（図３のＳ１）。
【００５１】
なお、実行しようとする自動調理メニューが加熱調理器２に登録済の調理メニュー（制御処理情報が制御装置２０に記憶保持されている調理メニュー）である場合には、加熱調理器２の操作パネル１３又は１５の操作によって、自動調理運転の実行を制御装置２０に指令することも可能である。
【００５２】
このとき、加熱調理器２の制御装置２０は、今回の自動調理運転が終了するまで、加熱調理器２の運転状態情報（詳しくしは、コンロ１０ａ〜１０ｃ及びグリル１０ｄのうち、自動調理運転に使用するコンロ又はグリルの運転状態情報）を逐次、第１サーバ３１に送信する（図３のＳ２）。
【００５３】
さらに、ユーザは、加熱調理器２で実行する自動調理運転に関する調理用レシピ情報の画像情報等の表示情報や、音声案内情報を情報端末３３で利用しようとする場合には、調理用レシピ情報を要求する旨の音声を情報端末３３の音声入力部３３ｂに入力する（図３のＳ３）。
【００５４】
このとき、情報端末３３の制御部３３ｄは、音声入力部３３ｂに入力された音声情報を第２サーバ３２に送信する（図３のＳ４）。そして、第２サーバ３２は、情報端末３３から受信した音声情報の内容を認識し、その音声情報の内容が、加熱調理器２の作動操作を要求するものではないことから、該音声情報の内容を示す要求（調理用レシピ情報の要求）を第１サーバ３１に送信する（図３のＳ５）。なお、この場合、第２サーバ３２から情報端末３３に、要求を受け付けた旨を示す表示情報及び／又は音声案内情報を送信し、該表示情報及び／又は音声案内情報を情報端末３３で出力してもよい。
【００５５】
調理用レシピ情報の要求を第２サーバ３２から受信した第１サーバ３１は、加熱調理器２で実行する自動調理運転に係る調理用レシピ情報を要求する旨をレシピサーバ３４に送信する（図３のＳ６）。これに応じて、レシピサーバ３４は、要求された調理用レシピ情報のうちの画像情報及び音声案内情報の全体を第１サーバ３１に送信する（図３のＳ７）。このとき、レシピサーバ３４から第１サーバ３１に送信される画像情報及び音声案内情報のそれぞれには、自動調理運転のどのタイミングで出力すべき情報であるかを示すタイミング情報も含まれている。
【００５６】
かかる画像情報及び音声案内情報を受信した第１サーバ３１は、該画像情報及び音声案内情報の全体を保存した上で、加熱調理器２から受信した現在の運転状態情報に基づいて、情報端末３３に出力させるべき表示情報及び／又は音声案内情報を決定し、その決定した表示情報報及び／又は音声案内情報を第２サーバ３２に送信する（図３のＳ８）。なお、第１サーバ３１が第２サーバ３２に送信する表示情報には、レシピサーバ３４から受信した画像情報の他、加熱調理器２の運転状態情報を示す表示情報が適宜、含まれる。
【００５７】
このとき、第２サーバ３２は第１サーバ３１から受信した表示情報及び／又は音声案内情報を情報端末３３に転送する（図３のＳ９）。該表示情報及び／又は音声案内情報を受信した情報端末３３の制御部３３ｄは、受信した表示情報を表示部３３ａに表示させ、また、受信した音声案内情報を音声出力部３３ｃから出力させる。これにより、ユーザは、情報端末３３に触れることを必要とせずに、表示部３３ａに表示される表示情報（調理用レシピ情報の画像情報や、加熱調理器２の運転状態情報を示す表示情報）を視認し、あるいは、音声出力部３３ｃから出力される音声案内情報を聞き取ることができる。
【００５８】
ユーザが、調理作業の進行に伴い、情報端末３３から出力される表示情報及び／又は音声案内情報の切替え（新たな工程に対応する表示情報及び／又は音声案内情報への切り替え）を欲する場合には、ユーザは、調理用レシピ情報の切替えを要求する旨の音声を情報端末３３の音声入力部３３ｂに入力する（図３のＳ１０）。
【００５９】
このとき、情報端末３３の制御部３３ｄは、音声入力部３３ｂに入力された音声情報を第２サーバ３２に送信する（図３のＳ１１）。そして、第２サーバ３２は、情報端末３３から受信した音声情報の内容を認識し、その音声情報の内容が、加熱調理器２の作動操作を要求するものではないことから、該音声情報の内容を示す要求（調理用レシピ情報の切替要求）を第１サーバ３１に送信する（図３のＳ１２）。なお、この場合、第２サーバ３２から情報端末３３に、要求を受け付けた旨を示す表示情報及び／又は音声案内情報を送信し、該表示情報及び／又は音声案内情報を情報端末３３で出力してもよい。
【００６０】
調理用レシピ情報の切替要求を第２サーバ３２から受信した第１サーバ３１は、加熱調理器２から受信した現在の運転状態情報に基づいて、情報端末３３に出力させるべき表示情報及び／又は音声案内情報を決定し、その決定した表示情報及び／又は音声案内情報を第２サーバ３２に送信する（図３のＳ１３）。なお、Ｓ１３において第１サーバ３１が第２サーバ３２に送信する表示情報には、前記Ｓ８と同様に、レシピサーバ３４から受信した画像情報の他、加熱調理器２の運転状態情報を示す表示情報が適宜、含まれる。
【００６１】
このとき、第２サーバ３２は第１サーバ３１から新たに受信した表示情報及び／又は音声案内情報を情報端末３３に転送する（図３のＳ１４）。該表示情報及び／又は音声案内情報を新たに受信した情報端末３３の制御部３３ｄは、受信した表示情報を表示部３３ａに表示させ、また、受信した音声案内情報を音声出力部３３ｃから出力させる。これにより、ユーザは、情報端末３３に触れることを必要とせずに、表示部３３ａに表示される表示情報（調理用レシピ情報の画像情報や、加熱調理器２の運転状態情報を示す表示情報）あるいは、音声出力部３３ｃから出力される音声案内情報を、新たなものに切り替えることができる。
【００６２】
また、情報端末３３の音声入力部３３ｂには、加熱調理器２の作動操作（コンロ１０ａ，１０ｂ，１０ｃ及びグリル１０ｄのいずれかの点火、消火、又は火力調整）を要求する音声が、ユーザから入力され、あるいは、テレビもしくはラジオ等のユーザ以外の音源等から入力される場合がある（図３のＳ１５）。この場合、入力された音声情報が情報端末３３から第２サーバ３２に送信される（図３のＳ１６）。
【００６３】
このとき、情報端末３３から該音声情報を受信した第２サーバ３２は、該音声情報の内容が、加熱調理器２の作動操作を要求するものであることから、該音声情報の内容により示される要求を第１サーバ３１に送信することなく、該要求を受け付けることができない旨の応答情報（表示情報及び／又は音声案内情報）を情報端末３３に送信する（図３のＳ１７）。このとき、該応答情報が情報端末３３で出力される。これにより、ユーザは、加熱調理器２の作動操作の要求が受け付けらないことを認識することができる。
【００６４】
本実施形態の加熱システム１では、加熱調理器２の自動調理運転時に、ユーザは、情報端末３３の音声入力部３３ｂに、調理用レシピ情報の取得や切替を要求する旨の音声情報を入力することで、タッチ操作等の手操作を必要とすることなく、調理用レシピ情報の画像情報や、加熱調理器２の運転状態情報を情報端末３３の表示部３３ａに表示される表示情報によって視覚的に取得し、あるいは、調理用レシピ情報の音声案内情報を情報端末３３の音声出力部３３ｃから出力される音声情報によって聴覚的に取得することができる。このため、加熱調理器２の自動調理運転に係る調理作業を容易且つ的確に実施できる。
【００６５】
この場合、ユーザは、自身の居宅に情報端末３３を備えるだけで、加熱システム１を利用できるので、該加熱システム１を安価且つ手軽に利用できる。また、第２サーバ３２として、既存のＡＩアシスタントシステムのサーバを利用できるので、加熱システム１を容易に構築できる。
【００６６】
また、加熱調理器２と通信を行う第１サーバ３１と、情報端末３３と通信を行う第２サーバ３２とが各別のサーバであるので、該第１サーバ３１及び第２サーバ３２のそれぞれの負荷を軽減し、それぞれの処理能力を高めることができる。ひいては、加熱システム１の利便性を高めることができる。
【００６７】
なお、以上説明した実施形態では、第１サーバ３１は、前記Ｓ７において、加熱調理器２で実行する自動調理運転に係る調理用レシピ情報の画像情報及び音声案内情報の全体をレシピサーバ３４から受信するようにしたが、第２サーバ３２から調理用レシピ情報の要求を受信する都度、その時点で必要な画像情報及び／又は音声案内情報だけをレシピサーバ３４から取得するようにしてもよい。
【００６８】
また、前記実施形態では、レシピサーバ３４を備える加熱システム１を例示したが、例えば第１サーバ３１が、レシピサーバ３４としての機能を併せ持つように構成されていてもよい。この場合には、レシピサーバ３４は不要である。
【００６９】
また、加熱調理器２が、その操作によって、レシピサーバ３４から（あるいは、レシピサーバ３４としての機能を併せ持つ第１サーバ３１から）、レシピ情報を直接的に取得し得るように構成されていてもよい、この場合には、携帯通信端末３５は、加熱システム１の構成要素から除外し得る。
【００７０】
また、前記実施形態では、加熱調理器２としてガスコンロを例示したが、本発明における加熱調理器は、加熱部としてＩＨヒータや、電熱器を有する加熱調理器であってもよい。また、本発明における加熱調理器は、オーブン、電子レンジ等であってもよい。さらに、本発明における加熱装置は、加熱調理器に限らず、暖房装置等の加熱装置であってもよい。
【符号の説明】
【００７１】
１…加熱システム、２…加熱調理器（加熱装置）、３１…第１サーバ、３２…第２サーバ、３３…情報端末、３３ａ…表示部、３３ｂ…音声入力部、３３ｃ…音声出力部。
【図１】
2020190360.tif 000003
【図２】
2020190360.tif 000004
【図３】
2020190360.tif 000005